(57)【要約】【課題】  火災受信機が設置されていなくても、端末機器における動作確認と設定確認とを実行することができる試験装置を提供することを目的とするものである。【解決手段】  火災報知設備における複数の端末機器と、信号線を介して接続される親機と、親機と無線ＬＡＮ網とを介して通信可能に接続され、携帯可能な子機とを具備する試験装置であって、子機は、親機との間で各種信号を無線送受信し、各種信号の送受信を制御し、子機用操作部を介して入力された操作信号に基づいて、親機へ各種試験命令を送信し、親機から各種試験結果を受信するように制御し、子機用制御部が受信した各種試験結果を表示し、一方、親機は、複数の端末機器が接続されている信号線に接続し、子機との間で各種信号を送受信し、複数の端末機器へ各種試験命令を送信し、複数の端末機器から各種試験結果を受信し、受信した各種試験結果を、子機に送信する。【選択図】  図１
2005122489.tif 000002
【特許請求の範囲】
【請求項１】
火災報知設備における複数の端末機器と、信号線を介して接続される親機と、上記親機と無線ＬＡＮ網とを介して通信可能に接続され、携帯可能な子機とを具備する火災報知設備用端末機器の試験装置であって、
上記子機は、
上記親機との間で各種信号を送受信する子機用無線通信部と；
所定の操作を行うための操作信号を入力する子機用操作部と；
上記各種信号の送受信を制御するとともに、上記子機用操作部を介して入力された操作信号に基づいて、上記親機へ各種試験命令を送信するとともに、上記親機から各種試験結果を受信するように制御する子機用制御部と；
上記子機用制御部が受信した各種試験結果を表示する子機用表示部と；
を有し、
上記親機は、
上記複数の端末機器が接続されている信号線に接続する信号線接続部と；
上記信号線を介して、各種信号を送受信する信号送受信部と；
上記子機との間で各種信号を送受信する親機用無線通信部と；
上記複数の端末機器へ各種試験命令を送信し、上記複数の端末機器から各種試験結果を受信し、上記受信した各種試験結果を、上記子機に送信するように制御する親機用制御部と；
を有することを特徴とする火災報知設備用端末機器の試験装置。
【請求項２】
請求項１において、
上記信号線は、上記火災報知設備における信号線のうちで、各フロアまたは各中継器盤で分岐された枝線であることを特徴とする火災報知設備用端末機器の試験装置。
【請求項３】
請求項１において、
上記子機用制御部は、上記子機用操作部の操作に基づいて、上記試験を行う端末機器の種別を選択するメニュー画面と、上記選択された種別の端末機器の試験を行うための試験画面とを、上記子機用表示部に切り換え表示するように制御し、しかも、上記試験画面から上記メニュー画面に切り換えるときに、上記試験された端末機器の自動復旧を行わせる手段であることを特徴とする火災報知設備用端末機器の試験装置。
【請求項４】
請求項１において、
上記子機用制御部は、上記子機用操作部の操作に基づいて、上記複数の端末機器のうちで種別が火災報知用端末機器の試験を行う火災報知端末試験画面を、上記子機用表示部に表示する手段であり、
上記火災報知端末試験画面は、上記複数の端末機器のうちで、全ての火災報知用端末機器を表示する接続一覧エリアと、発報した火災報知用端末機器を表示するイベント表示エリアと、各種スイッチを表示する操作エリアとによって構成されている画面であることを特徴とする火災報知設備用端末機器の試験装置。
【請求項５】
請求項１において、
上記子機は、上記親機から送信された各種試験結果を蓄積保管する子機用記憶部を有し、
上記子機用制御部は、上記子機用操作部における操作に基づいて、上記子機用記憶部に蓄積保管されている各種試験結果を一覧表示する試験履歴一覧表示画面を、上記子機用表示部に表示させる手段であることを特徴とする火災報知設備用端末機器の試験装置。
【請求項６】
請求項１において、
インターネットを含む通信網を介して、上記親機との間で通信可能に接続される第２の子機を有することを特徴とする火災報知設備用端末機器の試験装置。
【発明の詳細な説明】
【技術分野】
【０００１】
本発明は、試験要員１人で試験することができる火災報知設備の端末機器試験装置に係り、特に、建物への施工時に、火災受信機が設置されていなくても、端末機器における動作確認と設定確認とを実行することができる火災報知設備用端末機器の試験装置に関する。
【背景技術】
【０００２】
従来、信号線に接続されている複数の端末機器と、信号線を介して、上記複数の端末機器と接続されている火災受信機とによって構成されている火災報知設備において、点検作業する場合、端末機器としての感知器等を個別に試験発報させ、火災受信機の受信動作を確認しながら、端末機器を試験する。
【０００３】
しかし、上記従来の試験方法では、感知器等に張り付く作動要員と、火災受信機に張り付く動作確認要員との少なくとも２人の要員を必要とし、人員コストが嵩むという欠点がある。
【０００４】
この欠点を解消するために、火災受信機の動作確認要員を不要にし、点検作業の省力化を図るために、試験時に受信機に接続される試験装置（親機）と、この試験装置と携帯電話回線等の通信インフラを介して接続される試験者の携帯端末（子機）とを有する火災報知設備用試験装置が知られている（たとえば、特許公報１参照）。
【０００５】
この従来の火災報知設備用試験装置において、火災報知設備の点検作業を行う場合、試験者（感知器等の作動要員）が感知器等を個別に試験発報させると、親機は、感知器等を試験発報した際の火災受信機の受信動作を検出し、試験発報した感知器等の固有アドレスを含む文字メッセージを、試験者が携帯する子機宛に送信し、試験者が、子機の文字メッセージを視認することによって、試験発報した感知器等についての動作確認と設定確認とを行うことができる。
【特許文献１】特開２００３−０９９８７０号公報
【発明の開示】
【発明が解決しようとする課題】
【０００６】
しかし、上記従来例では、特に、大規模な建物に、火災報知設備を施工する場合、その規模が大きいので、通常、その建物への施工が開始されてから何ヵ月も後に、火災報知設備が設置完了され、したがって、端末機器側の工事の進捗状況に合わせて、フロア単位または中継器盤単位で、端末機器における動作確認と設定確認とを行うことができない。
【０００７】
つまり、上記従来の親機は、火災受信機の受信動作を検出するものであり、火災受信機に接続しなければ、端末機器における動作確認と設定確認とを行うことができず、点検作業を効率化することができないという問題がある。
【０００８】
本発明は、火災受信機が設置されていなくても、端末機器における動作確認と設定確認とを実行することができる火災報知設備用端末機器の試験装置を提供することを目的とするものである。
【課題を解決するための手段】
【０００９】
本発明は、火災報知設備における複数の端末機器と、信号線を介して接続される親機と、上記親機と無線ＬＡＮ網とを介して通信可能に接続され、携帯可能な子機とを具備する火災報知設備用端末機器の試験装置であって、上記子機は、上記親機との間で各種信号を送受信する子機用無線通信部と、所定の操作を行うための操作信号を入力する子機用操作部と、上記各種信号の送受信を制御するとともに、上記子機用操作部を介して入力された操作信号に基づいて、上記親機へ各種試験命令を送信するとともに、上記親機から各種試験結果を受信するように制御する子機用制御部と、上記子機用制御部が受信した各種試験結果を表示する子機用表示部とを有し、上記親機は、上記複数の端末機器が接続されている信号線に接続する信号線接続部と、上記信号線を介して、各種信号を送受信する信号送受信部と、上記子機との間で各種信号を送受信する親機用無線通信部と、上記複数の端末機器へ各種試験命令を送信し、上記複数の端末機器から各種試験結果を受信し、上記受信した各種試験結果を、上記子機に送信するように制御する親機用制御部とを有する火災報知設備用端末機器の試験装置である。
【発明の効果】
【００１０】
本発明によれば、火災受信機が設置されていなくても、端末機器における動作確認と設定確認とを実行することができるという効果を奏する。
【発明を実施するための最良の形態】
【００１１】
発明を実施するための最良の形態は、以下の実施例である。
【実施例１】
【００１２】
図１は、本発明の実施例１である火災報知設備用端末機器の試験装置１００を示すブロック図である。
【００１３】
まず、試験装置１００を説明する前に、試験装置１００が用いられる火災報知設備について説明する。
【００１４】
図１に示す火災報知設備は、複数の端末機器と火災受信機との間で信号伝送を行う所謂Ｒ型システムを、建物へ設置する施工途中であり、建物の１階部分において、枝線としての信号線Ｌ１を介して、複数の端末機器（火災報知設備用端末機器）Ｔ１１、Ｔ１２、Ｔ２３、……がフロアまたは中継器盤等に設けられている端子台Ｄ１に接続され、また、建物の２階部分において、枝線としての信号線Ｌ２を介して、複数の端末機器（火災報知設備用端末機器）Ｔ２１、Ｔ２２、Ｔ２３、……がフロアまたは中継器盤等に設けられた端子台Ｄ２に接続されている。
【００１５】
なお、火災報知設備は、その後、建物の必要な各階部分に、上記と同様に、必要な端末機器が設置され、最終的には各階の端子台と図示しない火災受信機とが幹線としての信号線を介して接続され、施工が完了する。
【００１６】
複数の端末機器Ｔ１１、……、Ｔ２１、……のうちで、信号線Ｌ１、Ｌ２に接続可能な端末機器は、火災受信機との間で信号伝送を行なうことができる端末機器であり、端末機器の種別としては、火災報知（火報）用、地区音響用、防排煙用、ガス漏れ用がある。
【００１７】
信号線Ｌ１には、火災報知用端末機器としてのアナログ式定温熱感知器Ｔ１１（アドレス＝１）、アナログ式差動熱感知器Ｔ１２（アドレス＝２）、アナログ式光電煙感知器Ｔ１３（アドレス＝３）、感知器用中継器Ｔ１４（アドレス＝４）、地区音響用端末機器としての地区音響用中継器Ｔ１５（アドレス＝５）が接続されている。また、感知器用中継器Ｔ１４には、枝枝線としての信号線Ｌ１１を介して、複数の所謂Ｐ型感知器Ｔ１１１が接続され、地区音響用中継器Ｔ１５には、枝枝線としての信号線Ｌ１２を介して、複数の地区音響装置Ｔ１２１が接続されている。
【００１８】
また、信号線Ｌ２には、火災報知用端末機器としてのアドレッサブル発信機Ｔ２１（アドレス＝１）、アナログ式光電煙感知器Ｔ２２（アドレス＝２）、アナログ式光電煙感知器Ｔ２３（アドレス＝３）、感知器用中継器Ｔ２４（アドレス＝４）、地区音響用端末機器としての地区音響用中継器Ｔ２５（アドレス＝５）、防排煙用端末機器としての防排煙用中継器Ｔ２６（アドレス＝６）が接続されている。
【００１９】
また、感知器用中継器Ｔ２４には、枝枝線としての信号線Ｌ２１を介して、所謂Ｐ型発信機Ｔ２１１が接続され、地区音響用中継器Ｔ２５には、枝枝線としての信号線Ｌ２２を介して、複数の地区音響装置Ｔ２２１が接続され、防排煙用中継器Ｔ２６には、枝枝線としての信号線Ｌ２３を介して、複数の防排煙装置Ｔ２３１が接続されている。
【００２０】
次に、火災報知設備用端末機器の試験装置１００について説明すると、火災報知設備用端末機器の試験装置１００は、親機１０と、子機２０とを有する。
【００２１】
親機１０は、ノート型パソコンに複数の端末機器との伝送通信を行う機能、無線ＬＡＮ網を介して、子機２０と１対１の無線通信を行う機能を備えたものであり、信号線接続部１１と、信号送受信部１２と、制御部１３と、表計算ソフト１４と、表示部１５と、操作部１６と、電源部１７と、無線通信部１８と、アンテナ１０Ａと、第１記憶部Ｍ１と、第２記憶部Ｍ２とを有する。
【００２２】
信号線接続部１１は、建物の各階のフロア等に設けられている端子台Ｄ１、Ｄ２と接続する部分であり、複数の端末機器Ｔ１、……、Ｔ２、……が接続されている信号線Ｌ１、Ｌ２に接続する接続部である。
【００２３】
信号送受信部１２は、信号線接続部１１を介して、複数の端末機器Ｔ１、……、Ｔ２、……との間で信号を送受信するものである。
【００２４】
親機用制御部１３は、親機１０の全体を制御し、つまり、信号線接続部１１と、信号送受信部１２と、表計算ソフト１４と、表示部１５と、操作部１６と、電源部１７と、無線通信部１８と、第１記憶部Ｍ１と、第２記憶部Ｍ２とを制御するものであり、第２記憶部Ｍ２に格納されているプログラムとともに、図２、図３に示すフローチャートにおける親機１０の動作を実行するものである。また、親機用制御部１３は、複数の端末機器Ｔ１、……、Ｔ２、……へ各種試験命令を送信し、複数の端末機器Ｔ１、……、Ｔ２、……から各種試験結果を受信し、受信した各種試験結果を、子機２０に送信するように制御する。
【００２５】
表計算ソフト１４は、表計算するコンピュータプログラムを格納しているメモリである。表示部１５は、複数の端末機器Ｔ１、……、Ｔ２、……の各種動作試験等を行うための各種画面（後述する図４〜図７等）を表示するディスプレイである。
【００２６】
操作部１６は、作業員が親機１０を操作するキー等が設けられ、所定の操作を行うための操作信号を入力する。電源部１７は、信号線接続部１１を介して、複数の端末機器Ｔ１、……、Ｔ２、……に電源を供給し、親機１０に設けられている各種部材に電源を供給する。無線通信部１８は、子機２０との間で無線通信する。
【００２７】
第１記憶部Ｍ１は、ＲＡＭであり、一時的なデータを記憶する部分である。第２記憶部Ｍ２は、ＨＤＤ、ＦＤ等の記憶媒体であり、図２、図３に示すフローチャートにおける親機１０の動作を実行するためのコンピュータプログラムを格納している。
このような構成の親機１０にあっては、作業員が表示部１５に表示される各種画面を見ながら、操作部１６の所定の操作を行うことによって、複数の端末機器Ｔ１、……、Ｔ２、……の各種動作試験等を行うことが可能である。
【００２８】
子機２０は、ノート型パソコンに、無線ＬＡＮ網を介して親機１０と１対１の無線通信を行う機能を備えているものであり、作業員が子機２０を携帯し、動作試験を行いたい端末機器の設定場所に行くことができるように、作業員が携帯可能なものである。また、子機２０は、アンテナ２０Ａと、子機用無線通信部２１と、子機用制御部２２と、子機用記憶部２３と、子機用操作部２４と、子機用表示部２５とを有する。
【００２９】
子機用無線通信部２１は、親機１０との間で無線通信するものである。
【００３０】
子機用制御部２２は、子機２０の全体を制御し、つまり、子機用無線通信部２１と、子機用記憶部２３と、子機用操作部２４と、子機用表示部２５とを制御するものであり、ＨＤ等の記憶媒体（図示省略）に格納されているプログラムとともに、図２、図３に示すフローチャートにおける子機２０の動作を実行するものである。また、子機用制御部２２は、各種信号の送受信を制御するとともに、子機用操作部２４を介して入力された操作信号に基づいて、親機１０へ各種試験命令を送信するとともに、親機１０から各種試験結果を受信するように制御する。
【００３１】
子機用記憶部２３は、一時的なデータを記憶する部分である。子機用操作部２４は、作業員が子機２０を操作するキー等が設けられ、所定の操作を行うための操作信号を入力する。子機用表示部２５は、複数の端末機器Ｔ１、……、Ｔ２、……の各種動作試験等を行うための各種画面（後述する図４〜図７等）を表示するディスプレイである。また、子機用表示部２５は、子機用制御部２２が受信した各種試験結果を表示する。
【００３２】
このような構成の子機２０にあっては、作業員が子機２０を携帯し、動作試験を行いたい端末機器の設置場所に行くことができ、作業員が子機用表示部２５に表示される各種画面を見ながら、操作部２４の所定の操作を行うことによって、親機１０を介して、複数の端末機器Ｔ１、……、Ｔ２、……の各種動作試験等を行うことが可能である。
【００３３】
このような構成の試験装置１００において、端末機器の各種動作試験を行う場合、作業員は、動作試験を行いたい端末機器が接続されている端子台に親機１０の信号線接続部１１を接続し、親機１０および子機２０の電源スイッチ（図示省略）をオンし、ＯＳプログラムを起動させた後に、操作部１６、２４としてのマウス操作等によって動作試験用プログラムの起動立ち上げを行い、表示部１５、２５に、図４に示すメニュー画面３０を表示させた後に、端末機器の各種動作試験を行う。
【００３４】
ここで、表示部１５、２５に表示される各種画面について説明する。
【００３５】
まず、図４のメニュー画面３０について説明する。動作試験用プログラムの起動立ち上げ時に表示されるメニュー画面３０には、接続端末一覧スイッチ３１と、異常一覧スイッチ３２と、火災報知用スイッチ３３と、ガス漏れ用スイッチ３４と、防排煙用スイッチ３５と、地区音響用スイッチ３６と、履歴表示用スイッチ３７と、履歴保存用スイッチ３８と、終了スイッチ３９が表示される。
【００３６】
接続端末一覧スイッチ３１は、試験装置１００に接続されている端末機器の一覧表示画面へ移行するスイッチであり、異常一覧スイッチ３２は、試験装置１００に接続されている端末機器のうちで、異常状態を示す端末機器の一覧表示画面へ移行するためのスイッチである。
【００３７】
火災報知用スイッチ３３、ガス漏れ用スイッチ３４、防排煙用スイッチ３５、地区音響用スイッチ３６は、動作試験を行う端末機器の種別を選択するスイッチであり、火災報知用スイッチ３３は、火災報知用端末機器の動作試験画面（後述する図５）へ移行するためのスイッチであり、ガス漏れ用スイッチ３４は、ガス漏れ用端末機器の動作試験画面へ移行するためのスイッチであり、防排煙用スイッチ３５は、防排煙用端末機器の動作試験画面（後述する図６）へ移行するためのスイッチであり、地区音響用スイッチ３６は、地区音響用端末機器の動作試験画面へ移行するためのスイッチである。
【００３８】
履歴表示用スイッチ３７は、試験履歴一覧表示画面（後述する図７）へ移行するためのスイッチであり、履歴保存用スイッチ３８は、動作試験の履歴を保存するためのスイッチであり、終了スイッチ３９は、動作試験用プログラムを終了するためのスイッチである。
【００３９】
そして、このメニュー画面３０において、操作部１６、２４のマウス操作等によって、各種スイッチ３１〜３９を選択すると、表示部１５、２５には、選択された各種スイッチ３１〜３９に対応した画面が表示される。
【００４０】
次に、火災報知用スイッチ３３、ガス漏れ用スイッチ３４、防排煙用スイッチ３５、地区音響用スイッチ３６に対応した動作試験画面は、火災報知用スイッチ３３に対応した図５に示す火災報知用端末機器の動作試験画面４０や、防排煙用スイッチ３５に対応した図６に示す防排煙用端末機器の動作試験画面５０のように、対応する種別の端末機器の設定情報（アドレス、種別、ＩＤ等）や動作状態等を一覧表示する接続一覧エリア４１、５１と、各種操作スイッチを表示する操作エリア４２、５２とを有しているが、火災報知用端末機器の動作試験画面４０は、その他に、発報した火災報知用端末機器を表示するイベント表示エリア４６を有している。
【００４１】
これを詳細に説明すると、火災報知用端末機器の動作試験画面４０（火災試験画面４０）は、図５に示すように、接続一覧エリア４１と、操作エリア４２と、イベント表示エリア４６とを有する。
【００４２】
図５は、端子台Ｄ２に試験装置１００を接続した状態を示す図である。
【００４３】
接続一覧エリア４１は、試験装置１００に接続されている火災報知用端末機器のアドレス、種別、ＩＤ、状態、試験済の表示、および試験する端末機器の選択を行うための選択チェックボックスを表示するエリアであり、最大４アドレスが表示可能であり、４アドレス以降を表示する場合は、スクロールバー操作を行うことによって表示できるようになっている。この表示例では、試験装置１００に接続されている火災報知用端末機器は４つであり、その設定情報や動作状態として、具体的に、アドレスが１で、種別が火報（Ｆ）であり、ＩＤ＝アドレッサブル発信機（５０）は、状態が平常で、試験済でなく、アドレスが２で、種別が火報（Ｆ）であり、ＩＤ＝アナログ式光電煙感知器（１Ｆ）は、状態が平常で、試験済でない。
【００４４】
アドレスが３で、種別が火報（Ｆ）であり、ＩＤ＝アナログ式光電煙感知器（１Ｆ）は、状態が平常で、試験済でなく、アドレスが４で、種別が火報（Ｆ）であり、ＩＤ＝感知器用中継器（６０）は、状態が平常で、試験済でないということがわかる。
【００４５】
操作エリア４２は、火災試験スイッチ４３と、復旧スイッチ４４と、戻るスイッチ４５を有する。火災試験スイッチ４３は、接続一覧エリア４１の選択チェックボックスで選択した端末機器について火災試験を実行するためのスイッチである。復旧スイッチ４４は、発報状態にある端末機器の全てを平常状態に戻すためのスイッチである。戻るスイッチ４５は、メニュー画面３０へ戻るためのスイッチであり、また、この操作によって、発報状態にある端末機器の全てが平常状態に復旧され、これによって、復旧のし忘れを防止することができる。
【００４６】
イベント表示エリア４６は、発報している端末機器が存在している場合には、その端末機器のアドレス、種別、ＩＤ、状態を表示するエリアである。イベント表示エリア４６を設けることによって、作業員は、アドレスが４以降の端末機器の火災試験を行った際に、接続一覧エリア４１のスクロールバー操作を行い、該当する端末機器の状態（試験結果）を確認する作業を行う必要がないので、次の端末機器の火災試験を迅速に行うことができる。また、作業員は、端末機器の火災試験を行い、イベント表示エリア４６の表示を確認し、操作エリア４２の復旧スイッチ４４をオンし、イベント表示エリア４６の表示が消去されたことを確認した後に、次の端末機器の火災試験を行うルーチン作業によって、複数の端末機器の火災試験作業を実行することができるので、端末機器の復旧のし忘れがなくなる。
【００４７】
次に、上記実施例の動作について説明する。
【００４８】
図２は、上記実施例において、作業員の操作手順に基づく火災試験動作を示すフローチャートである。
【００４９】
なお、ここでは、作業員が子機２０を携帯し、動作試験を行いたい端末機器の設置場所に行き、子機２０を操作することによって、端子台Ｄ２に接続される火災報知用端末機器Ｔ２２の火災試験、火災報知用端末機器Ｔ２３の実発報試験を行う場合について説明する。
【００５０】
まず、作業員は、端子台Ｄ２に親機１０の信号線接続部１１を接続し、親機１０と子機２０との電源スイッチ（図示省略）をオンし、ＯＳプログラムを起動させた後に、操作部１６、２４としてのマウス操作等によって、動作試験用プログラムを起動立ち上げし、表示部１５、２５に、メニュー画面３０を表示させる。このときに、親機１０は、端子Ｄ２に接続された複数の端末機器Ｔ１の各種設定情報（アドレス、種別、ＩＤ等）、状態の収集を、伝送によって行い、第１記憶部Ｍ１に記憶するとともに、その伝送信号を無線通信部１８から送出する。子機２０は、その伝送信号を子機側無線通信部２１によって受信し、その伝送信号内容を、子機側記憶部２３に記憶する。
【００５１】
そして、作業員は、子機２０を携帯し、動作試験を行いたい端末機器が設置されている場所に行き、操作部２４のマウス操作によって、メニュー画面３０の火災報知用スイッチ３３を選択し、火災試験モードを選択し（Ｓ１）、表示部２５に火災試験画面４０を表示させ（Ｓ２）、火災試験または実発報試験を行うかどうかを判断する（Ｓ３）。
【００５２】
まず、作業員が、火災報知用端末機器Ｔ２２の火災試験を行うとすると（Ｓ４）、図５に示す火災試験画面４０の接続一覧エリア４１において、マウス操作によって、選択チェックボックスを、対応するアドレス３にまで移動させることによって、火災試験を行う端末機器（火災報知用端末機器Ｔ２２）を選択し（Ｓ５）、引き続いて、火災試験スイッチ４３（火災試験実行ボタン４３）を押下する（Ｓ６）。
【００５３】
すると、その操作信号によって、「アドレス・火災試験命令」の伝送信号を、子機側無線通信部２１が送出する。親機１０において、無線通信部１８が上記伝送信号を受信し、信号線接続部１１が送出する。火災報知用端末機器Ｔ２２は、この伝送信号を受信すると、内部試験回路を動作させ、火災検出部が擬似的に発報状態となれば、確認灯を点灯させるとともに、そのときの「アドレス・アナログ出力信号」からなる試験結果としての伝送信号を送出する。親機１０は、この伝送信号を受信すると、無線通信部１８が送出するとともに、この伝送信号内容（試験結果）を、第１記憶部Ｍ１に記憶する。子機２０において、この伝送信号を子機用無線通信部２１が受信するとともに、この伝送信号内容（試験結果）を、子機用記憶部２３に記憶する。
【００５４】
また、作業員が、火災報知用端末機器Ｔ２３の実発報試験を行うとすると（Ｓ４）、作業員は、煙感知器用試験器（図示省略）を用い、火災報知用端末機器Ｔ２３に対して所謂あぶり試験を行う。そして、火災報知用端末機器Ｔ２３は、その火災検出部が発報状態になれば、確認灯を点灯させるとともに、そのときの「アドレス・アナログ出力信号」からなる試験結果としての伝送信号を送出する。
【００５５】
親機１０は、この伝送信号を受信すると、無線通信部１８が上記伝送信号を送出するとともに、上記伝送信号内容（試験結果）を、第１記憶部Ｍ１に記憶する。子機２０において、上記伝送信号を子機用無線通信部２１が受信するとともに、上記伝送信号の内容（試験結果）を、子機用記憶部２３に記憶する。
【００５６】
この状態において、子機２０は、上記伝送信号によって、上記選択された火災報知用端末機器Ｔ２２、Ｔ２３が正常に発報したかどうかを判断し（Ｓ７）、正常な発報であれば、接続一覧エリア４１において、試験を行った端末機器Ｔ２２、Ｔ２３の状態欄に「試験発報」を表示し、また、試験済欄に「済」を表示する（Ｓ８）。一方、正常に発報していなければ（Ｓ７）、試験を行った端末機器Ｔ２２、Ｔ２３の状態欄に、「試験発報」が表示されない。したっがって、作業員は、上記試験済欄、状態欄を見ることによって、感知器（火災報知用端末機器）が正常に取り付けられていないかどうかを把握することができる。
【００５７】
正常に発報した場合（Ｓ７）、子機２０は、発報が１報のみであるかどうかを判断し（Ｓ１１）、１報のみの発報であれば、発報しているアドレスとその状態等を、イベント表示エリア４６に表示する（Ｓ１２）。発報が２報以上であれば（Ｓ１１）、１報目の情報のみをイベント表示エリア４６に表示する（Ｓ１３）。
【００５８】
この状態において、子機２０は、復旧操作が行われたかどうかを判断し（Ｓ１４）、つまり作業員が操作エリア４２の復旧スイッチ４４を操作したならば、火災情報をクリアし（Ｓ１５）、火災試験モードを終了するのであれば（Ｓ１６）、つまり作業員が操作エリア４２の戻るスイッチ４５を操作したならば、復旧を行い（火災情報をクリアし）（Ｓ１７）、火災試験モードを終了し、表示部２５にメニュー画面３０が切り替え表示される（Ｓ１８）。
【００５９】
なお、火災情報をクリアするとは、「全アドレス・復旧信号」の伝送信号を親機１０の信号線接続部１１から送出することであり、端子台に接続されている全ての端末機器を平常状態に戻すことである。
【００６０】
なお、ステップＳ８において、接続一覧エリア４１の状態欄への表示は「試験発報」であり、火災試験による発報と、実発報とを区別していないが、実発報の場合は、「実発報」と表示する等し、区別するようにしてよい。
【００６１】
次に、上記実施例において、端末（防排煙端末機器）の試験の動作について説明する。
【００６２】
図３は、上記実施例において、作業員の操作手順に基づく端末（防排煙端末機器）の試験の動作を示すフローチャートである。
【００６３】
なお、ここでは、作業員が、図２に示す火災報知用端末機器の動作試験操作手順後に、端子台Ｄ２に接続される防排煙用端末機器Ｔ２６の動作試験を行う場合について説明する。
【００６４】
まず、作業員は、子機用表示部２５に、メニュー画面３０が表示された状態から、操作部２４のマウス操作によって、防排煙用スイッチ３５を選択し、端末試験モードを選択し（Ｓ２１）、子機用表示部２５に端末試験画面５０（防排煙用端末機器の動作試験画面５０）を表示させ（Ｓ２２）、遠隔制御試験または実作動試験を行う必要があるかどうかを判断する（Ｓ２３）。ここで、作業員が、防排煙用端末機器Ｔ２６の遠隔制御試験を行うとすると（Ｓ２４）、端末試験画面５０の接続一覧エリア５１において、マウス操作によって、選択チェックボックスを対応するアドレス６にまで移動させ、遠隔制御試験を行う端末機器（防排煙用端末機器Ｔ２６）を選択し（Ｓ２５）、次に、起動制御スイッチ５３（起動制御実行ボタン５３）を押下する（Ｓ２６）。
【００６５】
すると、上記操作信号によって「アドレス・起動制御試験命令」の伝送信号が子機側無線通信部２１より送出される。親機１０は、この伝送信号を、無線通信部１８が受信し、信号線接続部１１が上記伝送信号を送出する。防排煙用端末機器Ｔ２６は、この伝送信号を受信すると、枝枝線Ｌ２３に接続されている複数の防排煙装置Ｔ２３１を起動させるための処理を行うとともに、「アドレス・応答信号」からなる試験結果としての伝送信号を送出する。親機１０は、この伝送信号を受信すると、無線通信部１８が上記伝送信号を送出するとともに、この伝送信号内容（試験結果）を、第１記憶部Ｍ１に記憶する。子機２０は、上記伝送信号を子機用無線通信部２１が受信するとともに、上記伝送信号の内容（試験結果）を、子機用記憶部２３に記憶する。
【００６６】
次に、子機２０は、上記伝送信号によって、上記選択された防排煙用端末機器Ｔ２６が正常に起動制御したかどうかを判断し、つまり、防排煙用端末機器Ｔ２６が正常に起動制御試験命令を受信したかどうかを判断し（Ｓ２７）、応答信号の返送によって正常に起動制御していると判断すると、接続一覧エリア５１において、試験を行った端末機器Ｔ２６の状態欄に「起動制御」を表示し、また、試験欄に「済」を表示する（Ｓ２８）。
【００６７】
応答信号の返送なしによって、正常に起動制御していないと判断すると（Ｓ２７）、試験を行った端末機器の状態欄に「起動制御」が表示されないので、作業員は、端末（防排煙用端末機器）が正常に取り付けられていないかどうかを判断する。
【００６８】
なお、防排煙用端末機器Ｔ２６は、複数の防排煙装置Ｔ２３１を起動させるための処理を行ってから、複数の防排煙装置Ｔ２３１が作動したことを、枝枝線Ｌ２３を介して、受信すると、「アドレス・作動信号」からなる試験結果としての伝送信号を送出する。親機１０は、この伝送信号を受信すると、この受信した伝送信号を無線通信部１８が送出するとともに、この伝送信号内容（試験結果）を、第１記憶部Ｍ１に記憶する。子機２０において、この伝送信号を子機用無線通信部２１が受信するとともに、この伝送信号内容（試験結果）を、子機用記憶部２３に記憶する。
【００６９】
なお、ステップＳ４において、作業員が、防排煙用端末機器Ｔ２６の動作試験として遠隔制御試験ではなく、防排煙用端末機器Ｔ２６の実作動試験を行うとすると（Ｓ２４）、作業員は、複数の防排煙装置Ｔ２３１を手動作動、たとえば、防火戸を閉じる等を行う。そして、防排煙用端末機器Ｔ２６は、枝枝線Ｌ２３を介して、複数の防排煙装置Ｔ２３１が作動したことを受信すると、「アドレス・作動信号」からなる試験結果としての伝送信号を送出する。
【００７０】
親機１０において、この伝送信号を受信すると、無線通信部１８が送出するとともに、この伝送信号内容（試験結果）を、第１記憶部Ｍ１に記憶する。子機２０において、この伝送信号を子機用無線通信部２１が受信するとともに、この伝送信号の内容（試験結果）を子機用記憶部２３に記憶する。
【００７１】
この状態において、子機２０は、防排煙用端末機器Ｔ２６（複数の防排煙用端末機器Ｔ２３１も含む）が実作動したかどうかを判断し、つまり、防排煙用端末機器Ｔ２６から作動信号が返送されたかどうかを判断し（Ｓ３１）、作動信号の返送があれば、実作動したと判断し、この場合、接続一覧エリア５１において、試験を行った端末機器Ｔ２６の状態欄に、「作動」を表示し、また、試験欄に「済」を表示する（Ｓ３２）。作動信号の返送がなければ、実作動していないと判断し（Ｓ３１）、試験を行った端末機器の状態欄に「作動」が表示されない。上記のように、作業員は、端末（防排煙用端末機器）が正常に取り付けられていないかどうかを把握することができる（Ｓ３６）。
【００７２】
次に、子機２０は、端末試験モードを終了かどうかを、判断し（Ｓ３３）、つまり作業員が操作エリア５２の戻るスイッチ４５を操作すれば、復旧を行い（起動制御をＯＦＦさせる）（Ｓ３４）、端末試験モードを終了し、表示部２５にメニュー画面３０が切り替え表示される（Ｓ３６）。
【００７３】
なお、起動制御をＯＦＦさせるとは、「全アドレス・復旧信号」の伝送信号を親機１０の信号線接続部１１から送出することであり、端子台に接続された全ての端末機器を平常状態に戻すことである。
【００７４】
なお、ステップＳ３２とＳ３３との間において、子機２０は、復旧操作が行われたかどうかを判断し、つまり作業員が操作エリア５２の復旧スイッチ５４を操作したならば、起動制御をＯＦＦさせる。
【００７５】
以上のように、作業員は、子機２０を携帯し、動作試験を行いたい端末機器が設置されている場所まで行き、子機２０を操作し、端末機器のアドレスを指定し、動作試験を行うと、試験結果が子機表示部２５に表示されるので、作業員一人で端末機器の動作確認と設定確認とを行うことができる。
【００７６】
また、火災受信機を介さずに、親機１０を信号線（枝線）に直接接続し、端末機器の動作試験を行うので、端末機器側の施工工事の進捗状況に合わせて、フロア単位または中継器盤単位で、端末機器の動作試験を行うことができ、点検作業（試験作業）のスケジュールの自由度が上がる。
【００７７】
このようにして、複数の端末機器の各種動作試験が終了した状態で、作業員が操作部１６または子機用操作部２４を操作し、メニュー画面３０の履歴表示用スイッチ３７を選択すると、親機１０または子機２０は、第１記憶部Ｍ１または子機用記憶部２３に蓄積保管されている各種試験結果を一覧表示する試験履歴一覧表示画面（図７）を、表示部１５または子機用表示部２５に表示することができる。このために、作業員は、各種試験結果を確認することができ、試験漏れの端末機器の有無を確認することができる。
【００７８】
試験履歴一覧表示画面（図７）は、各種試験結果を一覧表示する履歴表示エリア７１と、履歴表示エリア７１に表示される各種試験結果を選択可能な選択エリア７２と、メニュー画面３０に戻るための戻るスイッチ７３とを有する。
【００７９】
履歴表示エリア７１の表示内容は、試験結果発生時刻、アドレス、種別、ＩＤ、状態であり、図７においては、図２、図３における動作試験結果（端末機器Ｔ２２、Ｔ２３、Ｔ２６の動作試験結果）が時系列表示されているが、選択エリア７１における選択によって、時系列表示の他に、火災報知用端末機器のみの表示、防排煙用端末機器のみの表示、ガス漏れ用端末機器のみの表示が可能である。
【００８０】
なお、作業員は、各種試験結果をデータファイルとして保存したい場合には、親機１０側において、メニュー画面３０の履歴保存用スイッチ３８を選択する。すると、親機１０は、第１記憶部Ｍ１に蓄積保管されている各種試験結果を、第２記憶部Ｍ２にＣＳＶデータ形式のファイルとして保存する。
【００８１】
これによって、作業員は、ＣＳＶデータ形式のファイルを用い、点検結果記録簿を作成することができ、従来のプリンタ出力の各種試験結果を、パソコンに手入力して点検結果記録簿を作成する場合と比べ、格段と作成しやすい。また、親機１０の表計算ソフト１４を起動させれば、試験現場にいながらにして、点検結果記録簿を作成する作業を実行することができる。
【００８２】
また、上記実施例において、親機１０が接続される信号線は、火災報知設備における信号線のうちで、各フロアまたは各中継器盤で分岐された枝線である。
【００８３】
さらに、子機用制御部２２は、子機用操作部２４の操作に基づいて、上記試験を行う端末機器の種別を選択するメニュー画面と、上記選択された種別の端末機器の試験を行うための試験画面とを、上記子機用表示部２５に切り換え表示するように制御し、しかも、上記試験画面から上記メニュー画面に切り換えるときに、上記試験された端末機器の自動復旧を行わせる手段である。
【００８４】
そして、子機用制御部２２は、子機用操作部２４の操作に基づいて、上記複数の端末機器のうちで種別が火災報知用端末機器の試験を行う火災報知端末試験画面を、上記子機用表示部に表示する手段であり、上記火災報知端末試験画面は、上記複数の端末機器のうちで、全ての火災報知用端末機器を表示する接続一覧エリアと、発報した火災報知用端末機器を表示するイベント表示エリアと、各種スイッチを表示する操作エリアとによって構成されている画面である。
【００８５】
また、子機２０は、親機１０から送信された各種試験結果を蓄積保管する子機用記憶部を有し、子機用制御部２２は、子機用操作部２４における操作に基づいて、子機用記憶部２３に蓄積保管されている各種試験結果を一覧表示する試験履歴一覧表示画面を、子機用表示部２５に表示させる手段である。
【００８６】
そして、インターネットを含む通信網を介して、親機１０との間で通信可能に接続される第２の子機を有するようにしてもよい。
【図面の簡単な説明】
【００８７】
【図１】本発明の実施例１である火災報知設備用端末機器の試験装置１００を示すブロック図である。
【図２】上記実施例において、作業員の操作手順に基づく火災試験動作を示すフローチャートである。
【図３】上記実施例において、作業員の操作手順に基づく端末（防排煙端末機器）の試験の動作を示すフローチャートである。
【図４】メニュー画面を示す図である。
【図５】火災報知用端末機器の動作試験画面を示す図である。
【図６】防排煙用端末機器の動作試験画面を示す図である。
【図７】試験履歴一覧表示画面を示す図である。
【符号の説明】
【００８８】
１００…火災報知設備用端末機器の試験装置、
１０…親機、
１１…信号線接続部、
１２…信号送受信部、
１３…制御部、
１５…表示部、
１６…操作部、
Ｍ１…第１記憶部、
Ｍ２…第２記憶部、
２０…子機、
２１…子機用無線通信部、
２２…子機用制御部、
２３…子機用記憶部、
２４…子機用操作部、
２５…子機用表示部。
【図１】
2005122489.tif 000003
【図２】
2005122489.tif 000004
【図３】
2005122489.tif 000005
【図４】
2005122489.tif 000006
【図５】
2005122489.tif 000007
【図６】
2005122489.tif 000008
【図７】
2005122489.tif 000009